(57)【要約】      （修正有）【課題】結婚式等に参加する複数の参加者の氏名を表示可能で、結婚式等の演出の趣向を高めることが可能な結婚証明書を提供する。【解決手段】結婚式等の参加者の氏名を表示する結婚証明書１０であって、板状のプレート部材であり、新郎新婦を除く参加者の氏名が板面に表示される参加者プレート部材１２と、複数の参加者プレート部材を、一方の板面側に配置させる板状の配置盤１４とを備え、配置盤は、参加者プレート部材を嵌合させる凹部であり、平面視で参加者プレート部材の平面視形状と略重なり合う様に穿設される第１嵌合部２６、を前記板面側に複数有する。【選択図】図１
0003222194.tif 000002
【実用新案登録請求の範囲】
【請求項１】
結婚式等の参加者の氏名を表示する結婚証明書であって、
板状のプレート部材であり、新郎新婦を除く前記参加者の氏名が板面に表示される参加者プレート部材と、
複数の前記参加者プレート部材を、一方の板面側に配置させる板状の配置盤とを備え、
前記配置盤は、前記参加者プレート部材を嵌合させる凹部であり、平面視で前記参加者プレート部材の平面視形状と略重なり合う様に穿設される第１嵌合部、を前記板面側に複数有することを特徴とする結婚証明書。
【請求項２】
板状のプレート部材であり、新郎及び新婦の氏名又は名前が板面に表示される新郎新婦プレート部材を含み、
前記配置盤は、前記新郎新婦プレート部材を嵌合させる凹部であり、平面視で前記新郎新婦プレート部材と略重なり合う様に穿設される第２嵌合部、を前記板面側に有することを特徴とする請求項１に記載の結婚証明書。
【請求項３】
複数の前記参加者プレート部材は、略同形状かつ略同サイズでそれぞれ形成されることを特徴とする請求項１又は２に記載の結婚証明書。
【請求項４】
前記参加者プレート部材には、前記参加者のうち一名分の氏名があらかじめ表示されていることを特徴とする請求項１〜３のいずれかに記載の結婚証明書。
【請求項５】
前記参加者プレート部材及び／又は前記新郎新婦プレート部材は、光を透過する樹脂材よりなることを特徴とする請求項２〜４のいずれかに記載の結婚証明書。
【請求項６】
前記参加者プレート部材が、同サイズの矩形状からなり、前記第１嵌合部は、マトリックス状に配置されることを特徴とする請求項３〜５のいずれかに記載の結婚証明書。
【請求項７】
前記配置盤は木材よりなり、短冊状の板状部材であって、その板面と、前記配置盤の板面とを略平行にした状態で、前記配置盤の他方の板面側に取り付けられる補強部材を含むことを特徴とする請求項１〜６のいずれかに記載の結婚証明書。
【請求項８】
前記配置盤の板面を床面に対して垂直に乃至傾斜させた状態の前記配置盤を支持する支持手段を備えることを特徴とする請求項１〜７のいずれかに記載の結婚証明書。
【考案の詳細な説明】
【技術分野】
【０００１】
本考案は、結婚式や結婚披露宴（以下「結婚式等」という。）で用いられる結婚証明書に関し、特に結婚式等へ参加した人々の氏名一覧を表示可能な盤状の結婚証明書に関する。
【０００２】
従来、結婚式等の際に、様々な演出がされるが、その中の一つに結婚証明書を活用した演出がある。この結婚証明書による演出は、例えば誓いの言葉等が記載された台紙等に新郎・新婦が、結婚披露宴の最中にサインするものがよく知られており、二人の記念の品として大事にされてきた。このような結婚証明書の一例として、例えば下記の特許文献１に記載された考案が開示されている。
【先行技術文献】
【特許文献】
【０００３】
【特許文献１】実用新案登録第３１４３３２７号
【考案の概要】
【考案が解決しようとする課題】
【０００４】
特許文献１には、透光性を有する表板と該表板の裏側に重ね合わせる裏板を備える表示具と、該表示具の表板と裏板の間に挟み込まれるシート状の結婚証明書本体を有するとともに、該結婚証明書本体と差し替え可能なウェルカムボード用紙が備えられた結婚証明書が開示されている。
【０００５】
しかし、昨今では、来賓参加型の人前式の結婚式が増加する傾向にあり、来賓者にも結婚の証人として氏名を結婚証明書に残し、結婚を認証したという証明や記念品として後世に残したいという希望も増えている。また、多くの来賓者が結婚式等に参加する参加型の演出を企画する等で、結婚式等の趣向を高めたいという希望も増えている。
【０００６】
ところが、特許文献１の結婚証明書によっても、複数の参加者の氏名を結婚証明書として表示する技術についての開示はみられない。
【０００７】
そこで、本考案は、上記従来の問題に鑑みてなされたものであり、その目的は、結婚式等に参加する複数の参加者の氏名を表示可能で、結婚式等の演出の趣向を高めるために好適な結婚証明書を提供することにある。
【課題を解決するための手段】
【０００８】
請求項１の考案は、結婚式等の参加者の氏名を表示する結婚証明書であって、板状のプレート部材であり、新郎新婦を除く前記参加者の氏名が板面に表示される参加者プレート部材と、複数の前記参加者プレート部材を、一方の板面側に配置させる板状の配置盤とを備え、前記配置盤は、前記参加者プレート部材を嵌合させる凹部であり、平面視で前記参加者プレート部材の平面視形状と略重なり合う様に穿設される第１嵌合部、を前記板面側に複数有する、結婚証明書である。
【０００９】
請求項２の考案は、請求項１記載の結婚証明書において、板状のプレート部材であり、新郎及び新婦の氏名又は名前が板面に表示される新郎新婦プレート部材を含み、前記配置盤は、前記新郎新婦プレート部材を嵌合させる凹部であり、平面視で前記新郎新婦プレート部材と略重なり合う様に穿設される第２嵌合部、を前記板面側に有することを特徴とする。
【００１０】
請求項３の考案は、請求項１又は２に記載の結婚証明書において、前記参加者プレート部材は、略同形状かつ略同サイズで形成されることを特徴とする。
【００１１】
請求項４の考案は、請求項１〜３のいずれかに記載の結婚証明書において、前記参加者プレート部材には、新郎新婦を除く参加者のうち一名分の氏名があらかじめ表示されていることを特徴とする。
【００１２】
請求項５の考案は、請求項２〜４のいずれかに記載の結婚証明書において、前記参加者プレート部材及び／又は前記新郎新婦プレート部材は、光を透過する樹脂材よりなることを特徴とする。
【００１３】
請求項６の考案は、請求項３〜５のいずれかに記載の結婚証明書において、前記参加者プレート部材が、同サイズの矩形状からなり、前記第１嵌合部は、マトリックス状に配置されることを特徴とする。
【００１４】
請求項７の考案は、請求項１〜６のいずれかに記載の結婚証明書において、前記配置盤は木材よりなり、短冊状の板状部材であって、その板面と、前記配置盤の板面とを略平行にした状態で、前記配置盤の他方の板面側に取り付けられる補強部材を含むことを特徴とする。
【００１５】
請求項８の考案は、請求項１〜７のいずれかに記載の結婚証明書において、前記配置盤の板面を床面に対して垂直に乃至傾斜させた状態の前記配置盤を支持する支持手段を備えることを特徴とする。
【考案の効果】
【００１６】
本考案は、結婚式等の参加者の氏名を表示する結婚証明書であって、板状のプレート部材であり、新郎新婦を除く前記参加者の氏名が板面に表示される参加者プレート部材と、複数の前記参加者プレート部材を、一方の板面側に配置させる板状の配置盤とを備え、前記配置盤は、前記参加者プレート部材を嵌合させる凹部であり、平面視で前記参加者プレート部材の平面視形状と略重なり合う様に穿設される第１嵌合部、を前記板面側に複数有する構成であるから、例えば参加者は参加者プレート部材に自分の氏名を記載し、その参加者プレート部材を、配置盤の第１嵌合部に嵌合させて取り付けることで複数の参加者の氏名を表示可能となる。また、結婚式や披露宴の際に、参加者が参加して配置盤に自分の参加者プレート部材を嵌合させる演出も可能となり、結婚式や披露宴の演出の趣向を高めることが可能な結婚証明書を提供できる。
【００１７】
また、板状のプレート部材であり、新郎及び新婦の氏名又は名前が板面に表示される新郎新婦プレート部材を含み、前記配置盤は、前記新郎新婦プレート部材を嵌合させる凹部であり、平面視で前記新郎新婦プレート部材と略重なり合う様に穿設される第２嵌合部、を前記板面側に有する構成であるから、例えば結婚式等の際に、新郎新婦も参加して二人の氏名が記載された新郎新婦プレート部材を配置盤に配置する演出ができる等、更に趣向を高めることができる。
【００１８】
また、前記参加者プレート部材は、略同形状かつ略同サイズで形成される構成であるから、参加者プレート部材の形状及びサイズを統一できるので、結婚証明書を容易にしかも安価に提供できる。
【００１９】
また、前記参加者プレート部材には、新郎新婦を除く参加者のうち一名分の氏名があらかじめ表示されている、構成であるから、参加者は参加者プレート部材に自分の氏名を記載する必要がなく結婚式や披露宴をスムースに運営可能な結婚証明書を提供できる。
【００２０】
また、前記参加者プレート部材及び／又は前記新郎新婦プレート部材は、光を透過する樹脂材よりなる構成であるから、配置盤の素材を選択して参加者プレート部材と組み合わせることで意匠性が高い結婚証明書を提供できる。
【００２１】
また、前記参加者プレート部材が、同サイズの矩形状からなり、前記第１嵌合部は、マトリックス状に配置される構成であるから、第１嵌合部も同サイズの矩形状で形成できるので、加工が容易となるとともに、第１嵌合部に嵌合された参加者プレート部材の配置もマトリックス状となり整然とした印象を与える結婚証明書を提供できる。
【００２２】
また、前記配置盤は木材よりなり、短冊状の板状部材であって、その板面と、前記配置盤の板面とを略平行にした状態で、前記配置盤の他方の板面側に取り付けられる補強部材を含む構成であるから、木材の経年変化による反り等を補強部材で防止でき、配置盤の平坦性を長く維持可能な結婚証明書を提供できる。
【００２３】
また、前記配置盤の板面を床面に対して垂直に乃至傾斜させた状態の前記配置盤を支持する支持手段を備える構成であるから、例えば配置盤を手にとらなくても配置盤を立てた状態で参加者の氏名を視認できる等の利便性が高まる。
【図面の簡単な説明】
【００２４】
【図１】本考案の第１実施例に係る結婚証明書示す一部分解斜視図である。
【図２】図１のＡ−Ａ線断面図である。
【図３】本考案の第２実施例に係る結婚証明書の斜視図である。
【図４】本考案の第３実施例に係る結婚証明書の正面図である。
【図５】本考案の第４実施例に係る結婚証明書を示す一部分解斜視図である。
【考案を実施するための形態】
【００２５】
本考案は、結婚式等の参加者の氏名を表示する結婚証明書であって、板状のプレート部材であり、新郎新婦を除く前記参加者の氏名が板面に表示される参加者プレート部材と、複数の前記参加者プレート部材を、一方の板面側に配置させる板状の配置盤とを備え、前記配置盤は、前記参加者プレート部材を嵌合させる凹部であり、平面視で前記参加者プレート部材の平面視形状と略重なり合う様に穿設される第１嵌合部、を前記板面側に複数有するものであり、結婚式等で活用することで多くの参加者の参加型の演出を行うことが可能となり、演出の趣向を高めるため、並びに、参加者の結婚承認意識を高めるために好適なものである。
【００２６】
以下、本考案の実施形態に係るいくつかの実施例について説明する。
先ず、本考案の第１実施例に係る結婚証明書１０について図１及び図２を用いて説明する。本実施例の結婚証明書１０は、図１及び図２に示す様に、複数の参加者プレート部材１２と、新郎新婦プレート部材２０と、配置盤１４とを備える。
【００２７】
本実施例の参加者プレート部材１２は、図１及び図２に示す様に、それぞれが平面視長方形状で同サイズの薄板材で形成される。そして、参加者プレート部材１２の一方の板面１６には、結婚式等の参加者のうち新郎新婦を除く参加者の氏名が表示される。図１においては、参加者プレート部材１２の板面１６に、例えば「Ｔｏｋｙｏ  Ｉｃｈｉｒｏｕ」の様に表示されている。
【００２８】
なお、参加者プレート部材１２の平面視形状は、本実施例における長方形状に限るものではなく、円形状、ハート形状、木の葉状等の任意の形状で製作されても良い。また、参加者プレート部材１２は、本実施例の様にすべての参加者プレート部材１２が、略同形状かつ略同サイズで形成されるものに限るものではなく、それぞれが異なる形状やサイズで形成されていてもよいし、複数の参加者プレート部材１２が、いくつかのグループにグループ分けされ、グループ毎に略同形状かつ略同サイズで形成されていても良い。
【００２９】
次に、新郎新婦プレート部材２０は、図１及び図２に示す様に、参加者プレート部材１２の長辺１２ａの略２倍の短辺２０ｂと、参加者プレート部材１２の短辺１２ｂの略４倍の長辺２０ａとを有する長方形上の薄板材で形成される。そして、新郎新婦プレート部材２０の一方の板面２２には、新郎新婦の名前があらかじめ表示されている。図１においては、新郎新婦プレート部材２０の板面２２に、例えば「Ｔａｒｏｕ  ＆  Ｈａｎａｋｏ」の様に表示されている。
新郎新婦プレート部材２０の平面視形状も、参加者プレート部材１２と同様に、長方形状に限るものではなく、円形状、ハート形状、木の葉状等の任意の形状で製作されても良い。
【００３０】
また、本実施例において、参加者プレート部材１２は、例えばアクリル樹脂等の透明な樹脂が用いられるが、参加者プレート部材１２は、透明な樹脂を用いるものに限るものでなく、光を透過する樹脂或いは光を透過しない樹脂、木材、金属を用いても良い。
【００３１】
また、本実施例において新郎新婦プレート部材２０は、光を透過しない樹脂が用いられるが、新郎新婦プレート部材２０は、光を透過しない樹脂を用いるものに限るものでなく、木材、金属を用いても良いし、光を透過する樹脂を用いてもよい。更に、参加者プレート部材１２及び／又は新郎新婦プレート部材２０は、後述する配置盤１４の材質との関係で意匠性が高まる素材を組合せて用いても良い。
【００３２】
次に、本実施例の配置盤１４は、図１及び図２に示す様に、例えば参加者プレート部材１２の厚さの略５倍の厚さの板材２８を含む。より詳しくは、板材２８は、図１及び図２に示す様に、参加者プレート部材１２の長辺１２ａの略１０倍の長辺１４ａと、参加者プレート部材１２の短辺１２ｂの略１０倍の短辺１４ｂを有する平面視長方形に形成される。また、本実施例の配置盤１４は、図１及び図２に示す様に、その周辺に沿って、板材２８の板面２８ａよりやや高い枠縁部３０を有しており、全体が略額縁状に形成される。配置盤１４の形状は、本実施例の略額縁状のものに限るものではなく、例えば平板状であっても良い。
また、本実施例の配置盤１４は、一枚の板材を加工して形成されるが、配置盤１４は、複数の板材からなる集成材を加工して形成されても良い。
【００３３】
本実施例の配置盤１４は、図１及び図２に示す様に、その一方の板面２８ａ側である表面側の中央部に第２嵌合部３２を有し、その周りを囲繞する様に配置される複数の第１嵌合部２６を有する。
第２嵌合部３２は、図１及び図２に示すように、配置盤１４の板面２８ａの略中央部に穿設される凹部であって、平面視で新郎新婦プレート部材２０の平面視形状と同じ長方形状で、新郎新婦プレート部材２０の厚さより浅い凹部で形成される。具体的には、図１に示す様に、第２嵌合部３２の長辺３２ａと新郎新婦プレート部材２０の長辺２０ａとが略等しく、また、第２嵌合部３２の短辺３２ｂと新郎新婦プレート部材２０の短辺２０ｂとが略等しく製作される。この様に、第２嵌合部３２は、新郎新婦プレート部材２０と略重なり合う様に穿設される凹部となっている。
従って、新郎新婦プレート部材２０を、第２嵌合部３２に嵌合させることができる。
【００３４】
次に、第１嵌合部２６は、図１及び図２に示すように、配置盤１４の枠縁部３０の内側の板面２８ａに穿設される凹部であって、平面視で参加者プレート部材１２の平面視形状と同じ長方形状で、参加者プレート部材１２の厚さよりやや浅い凹部で形成される。具体的には、図１に示す様に、第１嵌合部２６の長辺２６ａと参加者プレート部材１２の長辺１２ａとが略等しく、また、第１嵌合部２６の短辺２６ｂと参加者プレート部材１２の短辺１２ｂとが略等しく製作される。この様に、第１嵌合部２６は、参加者プレート部材１２と略重なり合う様に穿設される凹部となっている。従って、参加者プレート部材１２を、第１嵌合部２６に嵌合させることができる。
【００３５】
更に、本実施例の複数の第１嵌合部２６は、図１及び図２に示す様に、第２嵌合部３２を除いたマトリックス状に配置される。より詳しくは、第１嵌合部２６は、図１に示す様に、その長辺２６ａを配置盤１４の長辺１４ａと並行にした状態で所定の間隔を設けつつ長辺１４ａに沿って８つ穿設され、また、その短辺２６ｂを配置盤１４の短辺１４ｂと並行にした状態で所定の間隔を設けつつ短辺１４ｂに沿って８つ穿設される。
この様に、本実施例の複数の第１嵌合部２６は、第２嵌合部３２が配置される中央部を除いた８行×８列のマトリックス状に配置される。従って、第１嵌合部２６に嵌合される参加者プレート部材１２も中央部を除いた８行×８列のマトリックス状に配置される。なお、このマトリックス状配置の行数及び列数は、８行×８列に限るものではなく任意の数で製作できる。
【００３６】
次に、本実施形態における第２実施例の結婚証明書４０について図３を用いて説明する。第２実施例と第１実施例との相違点は、図３に示す様に、第２実施例に、配置盤１４の転倒を防止する支持手段としての支持ブロック４２を備える点であり、第１実施例と同様な部材には、同じ符号を付しその詳細な説明を省略する。
なお図３（ａ）は、配置盤１４を支持ブロック４２で支持した様子を説明する斜視図であり、図３（ｂ）は、支持ブロック４２を説明する斜視図である。
【００３７】
本実施例の支持ブロック４２は、図３に示す様に、底面４２ｄが長方形で、前記長方形の長辺４２ａに垂直な方向から視た側面形状が略台形状のブロック部材で形成される。そして、支持ブロック４２の上面には、長辺４２ａに垂直な方向に沿って切欠溝４４が設けられる。切欠溝４４の幅Ｈは、図３（ａ）に示す様に、配置盤１４の周辺の幅Ｗと略同じ長さで形成される。
【００３８】
従って、配置盤１４は、図３（ａ）に示す様に、その板面を床面に対して略垂直にした状態で下端側を支持ブロック４２の切欠溝４４に嵌合させることができる。配置盤１４の重量に応じて支持ブロック４２の重量やサイズを調整した支持ブロック４２を、配置盤１４の下端部に嵌合させることで、支持ブロック４２は、配置盤１４を支持する支持手段として機能するのである。
【００３９】
また、支持手段は、本実施例における支持ブロック４２に限るものではなく、例えば配置盤１４の背面側に取り付けられ、床面に対して傾斜させた状態の配置盤１４を背面側から支持するつっかい棒を含む構成であっても良い。
【００４０】
次に、本実施形態における第３実施例の結婚証明書５０について図４を用いて説明する。第３実施例と第１実施例との相違点は、図４に示す様に、第３実施例は、配置盤１４に配置されるプレートが参加者プレート部材１２だけで構成される点であり、第１実施例と同様な部材には、同じ符号を付しその詳細な説明を省略する。
【００４１】
本実施例の結婚証明書５０は、図４に示す様に、配置盤１４の板面２８ａに、参加者プレート部材１２を嵌合させる第１嵌合部２６のみが、所定の間隔を設けて８行×８列のマトリックス状に穿設される。そして、図４に示す様に、参加者プレート部材１２が、これらの第１嵌合部２６に嵌合されて８行×８列のマトリックス状に配置される。
なお、本実施例の様に新郎新婦の名前が記載されたプレート５２を、配置盤１４の長辺１４ａ側の枠縁部３０に貼付しても良い。また、マトリックスの行数及び／又は列数は、任意の数としてよい。
【００４２】
次に、本実施形態における第４実施例の結婚証明書６０について図５を用いて説明する。第４実施例と第１実施例との相違点は、図５に示す様に、第４実施例は、補強部材６２を配置盤１４に取り付けている点であり、第１実施例と同様な部材には、同じ符号を付しその詳細な説明を省略する。
【００４３】
本実施例の配置盤１４は、木材で製作され、配置盤１４の他方の板面１４ｃである背面側に補強部材６２を備える。
本実施例の補強部材６２は、図５に示す様に、例えば配置盤１４の短辺１４ｂよりやや短い長辺と、前記長辺の略８分の１の短辺を有し、前記長辺に沿って視た断面視が略コ字状を有する短冊状の板状アングル部材で形成される。
【００４４】
また、配置盤１４の他方の板面１４ｃに、図５に示す様に、前記略コ字状の部分を嵌合させ凹部であり、配置盤１４の短辺１４ｂと略同じ長辺と、前記長辺に沿って視た断面視が略コ字状を有する略コ字状の凹部６４が穿設される。その際、凹部６４の長辺と配置盤１４の短辺１４ｂとが略平行に穿設される。そして、補強部材６２は、図５に示す様に、その板面と、配置盤１４の板面１４ｃとを略平行にした状態で、前記略コ字状の部分を凹部６４に嵌合させ、螺子６６で取り付けられる。補強部材６２が、配置盤１４に取り付けられることで、配置盤１４の反り等の変形を防止できる。
なお、補強部材は、本実施例における断面視略コ字状に限るものではなく、平板状で製作されても良い。
【００４５】
以上説明して来た様に、本実施形態の結婚証明書１０，４０，５０，６０によれば、結婚式等に参加する複数の参加者の氏名を表示可能で、演出の趣向を高めるため、並びに、参加者の結婚承認意識を高めるために好適な結婚証明書を提供できる。
【００４６】
以上、本考案の実施形態のうちいくつかを図面に基づいて詳細に説明したが、これらはあくまでも例示であり、当業者の知識に基づいて種々の変形、改良を施した他の形態で本考案を実施することが可能である。例えば、本実施形態においては、参加者プレート部材１２及び新郎新婦プレート部材２０には、参加者や新郎新婦の氏名が表示されているが、無記名のプレートを準備し、披露宴等の席で参加者や新郎新婦の氏名を記載してもらっても良い。
【符号の説明】
【００４７】
１０，４０，５０，６０  結婚証明書
１２  参加者プレート部材
１４  配置盤
２０  新郎新婦プレート部材
２６  第１嵌合部
３２  第２嵌合部
４２  支持ブロック（支持手段）
６２  補強部材
【図１】
0003222194.tif 000003
【図２】
0003222194.tif 000004
【図３】
0003222194.tif 000005
【図４】
0003222194.tif 000006
【図５】
0003222194.tif 000007
【手続補正書】
【提出日】令和1年5月20日(2019.5.20)
【手続補正１】
【補正対象書類名】実用新案登録請求の範囲
【補正対象項目名】請求項５
【補正方法】変更
【補正の内容】
【請求項５】
前記参加者プレート部材及び／又は前記新郎新婦プレート部材は、光を透過する樹脂材よりなることを特徴とする請求項２に記載の結婚証明書。
【手続補正２】
【補正対象書類名】明細書
【補正対象項目名】００１２
【補正方法】変更
【補正の内容】
【００１２】
請求項５の考案は、請求項２に記載の結婚証明書において、前記参加者プレート部材及び／又は前記新郎新婦プレート部材は、光を透過する樹脂材よりなることを特徴とする。